【手続補正書】
【提出日】平成28年8月10日(2016.8.10)
【手続補正１】
【補正対象書類名】特許請求の範囲
【補正対象項目名】全文
【補正方法】変更
【補正の内容】
【特許請求の範囲】
【請求項１】
建築物に配設された火災感知手段が火災を感知すると異状情報を送出する自動火災報知設備と接続された支援装置と自衛消防隊の隊員が携帯する複数の端末とを具備する支援システムであって、
前記端末は、固有の識別子である端末識別子と、通信回線を介して通信する通信部と、表示部と、操作部と、を備え、
前記支援装置は、前記自動火災報知設備と接続されて通信する第１の通信部と、前記通信回線を介して前記端末と通信する第２の通信部と、前記端末識別子と対応する隊員の属性情報とを関連付けて記憶する第１の記憶領域を有する記憶部と、前記異状情報を受信したときに前記記憶部を参照し、前記属性情報に応じて隊員の役割を決定して前記自衛消防隊を編成する編成部と、前記編成部が決定した役割を前記端末毎に表示させる通知部と、前記自動火災報知設備および前記支援システムの動作状況をイベント情報としてその発生時刻と共に蓄積する記憶部と、操作部とを備え、前記操作部を操作することによって前記記憶部を参照して前記イベント情報を複数名で表示内容を認識できる大画面の表示装置へ任意に表示できるようにしたことを特徴とする支援システム。
【請求項２】
前記支援装置は、前記火災感知手段に固有の識別子又は前記火災感知手段が配設された区画情報に基づく感知手段位置情報と前記建築物における位置を特定する建物位置情報とを関連付けて記憶した第２の記憶領域を有する前記記憶部と、前記異状情報を受信したときに第２の記憶領域を参照して対応する建物位置情報を特定する特定部とを備え、
前記支援装置は、前記イベント情報に前記建物位置情報を含めて前記記憶部に蓄積することを特徴とする請求項１に記載の支援システム。
【請求項３】
前記端末は、自己の位置情報である端末位置情報を取得する測位部を備え、
前記支援装置は、前記端末位置情報と該当する端末の識別子とを受信して前記記憶部へ記憶することを特徴とする請求項１又は２に記載の支援システム。
【請求項４】
前記支援装置は、前記イベント情報をその種類毎に分類して蓄積し、火災時に所轄消防署へ通報すると共に、前記イベント情報のうち火災関連情報のみを抽出して送信することを特徴とする請求項１乃至３のいずれか１項に記載の支援システム。
【請求項５】
前記支援装置は、前記イベント情報をその種類毎に分類し、通信回線を介して前記イベント情報を施設外の外部サーバに送信してこれを蓄積せしめ、火災時に所轄消防署へ通報すると共に前記外部サーバの火災関連情報へのアクセス情報を伝達し、該アクセス情報に基づいて前記外部サーバにアクセスすると通報元である防火対象物の火災関連のイベント情報を取得できることを特徴とする請求項１乃至３のいずれか１項に記載の支援システム。
【手続補正２】
【補正対象書類名】明細書
【補正対象項目名】００１１
【補正方法】変更
【補正の内容】
【００１１】
（１）上述した課題を解決するため、本発明に係る支援システムは、建築物に配設された火災感知手段が火災を感知すると異状情報を送出する自動火災報知設備と接続された支援装置と自衛消防隊の隊員が携帯する複数の端末とを具備する支援システムであって、前記端末は、固有の識別子である端末識別子と、通信回線を介して通信する通信部と、表示部と、操作部と、を備え、前記支援装置は、前記自動火災報知設備と接続されて通信する第１の通信部と、前記通信回線を介して前記端末と通信する第２の通信部と、前記端末識別子と対応する隊員の属性情報とを関連付けて記憶する第１の記憶領域を有する記憶部と、前記異状情報を受信したときに前記記憶部を参照し、前記属性情報に応じて隊員の役割を決定して前記自衛消防隊を編成する編成部と、前記編成部が決定した役割を前記端末毎に表示させる通知部と、前記自動火災報知設備および前記支援システムの動作状況をイベント情報としてその発生時刻と共に蓄積する記憶部と、操作部とを備え、前記操作部を操作することによって前記記憶部を参照して前記イベント情報を複数名で表示内容を認識できる大画面の表示装置へ任意に表示できるようにしたことを特徴とする。
【手続補正３】
【補正対象書類名】明細書
【補正対象項目名】００１２
【補正方法】削除
【補正の内容】
【手続補正４】
【補正対象書類名】明細書
【補正対象項目名】００１３
【補正方法】変更
【補正の内容】
【００１３】
（２）また、本発明に係る支援システムは、（１）において、前記支援装置は、前記火災感知手段に固有の識別子又は前記火災感知手段が配設された区画情報に基づく感知手段位置情報と前記建築物における位置を特定する建物位置情報とを関連付けて記憶した第２の記憶領域を有する前記記憶部と、前記異状情報を受信したときに第２の記憶領域を参照して対応する建物位置情報を特定する特定部とを備え、前記支援装置は、前記イベント情報に前記建物位置情報を含めて前記記憶部に蓄積することを特徴とする。
【手続補正５】
【補正対象書類名】明細書
【補正対象項目名】００１４
【補正方法】変更
【補正の内容】
【００１４】
（３）また、本発明に係る支援システムは、（１）、（２）において、前記端末は、自己の位置情報である端末位置情報を取得する測位部を備え、前記支援装置は、前記端末位置情報と該当する端末の識別子とを受信して前記記憶部へ記憶することを特徴とする。
【手続補正６】
【補正対象書類名】明細書
【補正対象項目名】００１５
【補正方法】変更
【補正の内容】
【００１５】
（４）また、本発明に係る支援システムは、（１）〜（３）において、前記支援装置は、前記イベント情報をその種類毎に分類して蓄積し、火災時に所轄消防署へ通報すると共に、前記イベント情報のうち火災関連情報のみを抽出して送信することを特徴とする。
【手続補正７】
【補正対象書類名】明細書
【補正対象項目名】００１６
【補正方法】変更
【補正の内容】
【００１６】
（５）また、本発明に係る支援システムは、（１）〜（３）において、前記支援装置は、前記イベント情報をその種類毎に分類し、通信回線を介して前記イベント情報を施設外の外部サーバに送信してこれを蓄積せしめ、火災時に所轄消防署へ通報すると共に前記外部サーバの火災関連情報へのアクセス情報を伝達し、該アクセス情報に基づいて前記外部サーバにアクセスすると通報元である防火対象物の火災関連のイベント情報を取得できることを特徴とする。
【手続補正８】
【補正対象書類名】明細書
【補正対象項目名】００１８
【補正方法】変更
【補正の内容】
【００１８】
また、自衛消防隊の隊員の属性を特定して公設消防隊へ引き継ぎを行うことができる。
【手続補正９】
【補正対象書類名】明細書
【補正対象項目名】００３２
【補正方法】変更
【補正の内容】
【００３２】
上記火災感知放送の後にオペレータが火災ではないと判断したとき、受信機４を操作して音声警報装置７より非火災放送を行うことができる（図示せず）。この非火災放送の音声メッセージは、例えば「さきほどの火災感知器の作動は、確認の結果、異状がありませんでした。ご安心ください」というようなものであり、火災等の異状ではなかったことを告げるものである。
【手続補正１０】
【補正対象書類名】明細書
【補正対象項目名】００３５
【補正方法】変更
【補正の内容】
【００３５】
１−３．支援装置の構成
次に、支援システム１００を構成する支援装置１の構成について、図２に基づいて説明する。支援装置１は、第１の通信部１４と、第２の通信部１３と、記憶部１２と、制御部１１とを有する。第１通信部１４は、信号線Ｃ１を介して受信機４に接続されて制御情報等を通信するインターフェースである。第２の通信部１３は、信号線Ｃ２と通信回線３とを介して端末２と制御情報等を通信するインターフェースである。信号線Ｃ２に代えて無線通信で通信回線３と接続するようにしてもよい。記憶部１２は、ＲＯＭ、フラッシュメモリ、ハードディスク等の不揮発性の記憶手段であり、自衛消防隊員の活動を支援するための処理を実行するプログラムを記憶する。制御部１１は、記憶部１２に記憶されたプログラムに基づいて支援装置１の各部の動作を制御する制御手段である。
【手続補正１１】
【補正対象書類名】明細書
【補正対象項目名】００５８
【補正方法】変更
【補正の内容】
【００５８】
自火報設備２００において、図示しない受信機４の受信手段が感知手段からの異状感知信号を受信するまで待ち受けており（Ｓ００１のＮｏ）、感知手段である火災感知器５やガス漏れ検知器６が異状を感知すると、これを受信する（Ｓ００１のＹｅｓ）。受信機４の図示しない確認手段が、受信した異状感知信号が非常電話の起動又は発信機の操作といった人為的操作に基づかないと判断すると（Ｓ００２のＮｏ）、受信機４の図示しない異状判断手段が、一過性の異状感知信号であるか否かを判断する（Ｓ００４）。この異状判断手段は、蓄積機能等の公知の異状判断手段である。そして、異状判断手段は、異状感知信号が異状であると判断できない場合（Ｓ００４のＮｏ）、感知手段を復旧（例えば、蓄積復旧）するなどして再び異状感知信号を待ち受ける（Ｓ００１）。そして、異状判断手段が異状であると判断する、例えば判断手段が公知の蓄積機能である場合は、所定時間以内に再び異状感知信号が受信されると異状であると判断する（Ｓ００４のＹｅｓ）。このように異状判断手段が異状であると判断すると、音声警報装置７より第１段階の警報として「火災感知放送」を行うと共に異状を感知した感知手段の感知手段位置情報を含む異状情報として異状信号を送出する（Ｓ００５）。この異状信号は、信号線Ｃ１を介して支援装置１の第１通信部１４へ送られる（図１、２参照）。
【手続補正１２】
【補正対象書類名】明細書
【補正対象項目名】００７０
【補正方法】変更
【補正の内容】
【００７０】
また、前記役割において定員充足を必須とする役割について下限定数を設け、この下限定数が設定されている役割については、優先して下限定数を充足するように自衛消防隊を編成するようにしてもよい。すなわち、役割データベース１２３は、役割毎に最低限必要とされる定員として下限定数をさらに記憶するようにする。そして、この下限定数を優先して充足するように、編成部１１７は自衛消防隊を編成するようにする。このようにすることにより、複数の人数での作業を必須とするような役割、例えば上述したような屋内消火栓を使って初期消火を行うような役目に欠員を生じないように自衛消防隊を編成することができる。
【手続補正１３】
【補正対象書類名】明細書
【補正対象項目名】００８０
【補正方法】変更
【補正の内容】
【００８０】
そして、上記参加要請に対して当該端末２を携帯する現地対応要員候補が了解ボタン２５１８を操作すると、自衛消防隊への参加要請を表示させた端末２の場合と同様に、通信回線３と第２の通信部１３とを介して支援装置１の受付部１１２が受信する（図示せず）。このとき、編成部１１７が現地対応への参加要請の表示に対して了解ボタン２５１８が操作された端末２を携帯する隊員を現地対応要員として確定し、記憶部１２に記憶する。そして、受付部１１２での受け付けを締め切った後、通知部１１６は当該端末２に現地対応の役割、例えば初期消火の役割を表示させる（図６参照）。
【手続補正１４】
【補正対象書類名】明細書
【補正対象項目名】０１２３
【補正方法】変更
【補正の内容】
【０１２３】
２−１８．変形例１８
上述した変形例１７において、支援装置１の記憶部１２に記憶したイベント情報を、図示しない通信回線を介して施設外の外部サーバ、例えば防災サービス提供者が設けたサーバに送信して蓄積するようにしてもよい。この外部サーバは、複数の防火対象物としての建築物のイベント情報を集約して蓄積し、特定のアクセスだけに対して情報を提供できるようにしておく。例えば、特定の消防署に対して所轄地域だけの防火対象物に関するイベント情報を閲覧可能としておき、目的の防火対象物を選択して、その詳細なイベント情報を閲覧できるようにする。そして、支援装置１より所轄消防署へ通報する際に火災現場を特定できるような情報も付加しておく。すなわち、当該イベント情報へのアクセス情報を伝達しておく。通報を受けた所轄消防署は、通報された情報に基づいて通報元となった防火対象物である建築物を特定し、その詳細なイベント情報を外部サーバより取得することができるので、現場の状況を詳細に把握することができる。また、現場に向かって移動中の公設消防隊も、外部サーバにアクセスして、現場到着前に現場の状況を詳細に把握することができる。